(57)【要約】      （修正有）【課題】十分なクッション性を有して、簡単にかつ完全に洗濯、乾燥することができ、枕の中に細菌が繁殖してアレルギーやアトピーなどの原因となり、またダニの餌となるカビが発生してダニの繁殖の温床となるのを防止して、快適に安眠できる枕の提供。【解決手段】枕１を洗濯自在とするためにその中芯２を繊維集合体等の不織布の綿状としたクッション性を有する芯材で形成し、この中芯２を洗濯後の乾燥を確実にできるように断面が花びら状等のその中心部から周辺に向かって適宜の角度間隔で放射状形状に形成している。中芯２は、２枚の所定厚、所定幅のものを上下に対向してその中心部を縫合して中芯２の両側の側片がその中心側から周辺側に向かってこれらの断面がＶ字状に広がってクッション性を高め、通気性を有するように花びら状に形成するのが好ましい。【選択図】図１
0003117081.tif 000002
【実用新案登録請求の範囲】
【請求項１】
枕を洗濯自在とするためにその中芯を繊維集合体等の不織布の綿状としたクッション性を有する芯材で形成し、
この芯材を洗濯後の乾燥を確実にできるように断面が花びら状等のその中心部から周辺に向かって適宜の角度間隔で放射状形状に中芯を形成したことを特徴とする洗濯自在な枕。
【請求項２】
２枚以上の所定厚、所定幅の芯材を上下に対向してその中心部を縫合して中芯の両側の側片がその中心側から周辺側に向かってこれらの断面がＶ字状に広がってクッション性を高め、通気性を有するように中芯の断面を花びら状に形成した請求項１に記載の洗濯自在な枕。
【請求項３】
枕の中芯を中芯袋の前後部にそれぞれ内装して断面がピーナッツ状やひょうたん状の枕本体部を形成し、枕カバーを防ダニ、防虫の極細繊維生地で形成して上記枕本体部に被覆した請求項１または２に記載の洗濯自在な枕。
【請求項４】
枕本体部の中芯袋を高弾性不織布で形成し、この枕本体部の外側に所定の厚さに合成綿を介して極細繊維生地の枕カバーを被覆した請求項１ないし３のいずれかに記載の洗濯自在な枕。
【請求項５】
交換用の枕カバーを極細繊維生地で形成するとともに、その枕の出入口部を除く閉塞部を熱圧着シールを介して閉塞し、
上記枕の出入口部にレール状ファスナーやベルベットファスナーを開閉可能に形成するとともに、このレール状ファスナーやベルベットファスナー部を内側に挿入するようにしてその外側にさらにスライドファスナー等のファスナーを出入口部に二重状に配設した請求項１ないし４のいずれかに記載の洗濯自在な枕。
【考案の詳細な説明】
【技術分野】
【０００１】
本考案は、寝具分野における枕に関し、特に洗濯自在な枕に関するものである。
【背景技術】
【０００２】
従来、枕の芯材として、そば殻、もみ殻、パンヤ、羽毛などが使用され、近年では発泡性ウレタン等の低反発性のクッションの良好な枕が市販されている。
【０００３】
しかし、発泡性ウレタン等のスポンジ状の枕は、通気性、吸湿性も改善されて、従来での天然素材ではできなかった枕の洗濯が可能となって優れたものであるが、洗濯して脱水処理して乾燥しても完全な乾燥状態が得られない。そのため、不完全な乾燥状態で使用して、枕の中に細菌が繁殖してアレルギーやアトピーなどの原因となり、またダニの餌となるカビが発生してダニの繁殖の温床となり、不衛生な条件を作るおそれがあった。
【０００４】
そのため、特開２００４−３５８１３７号公報のように水洗いが可能な低反発ウォッシャブル枕が提案されている。この枕は、低反発弾性フォームで形成して、表裏両面を貫通する貫通孔を多数配設しているが、貫通孔を直径が１０〜１５ｍｍ位で、２０〜６０個位配設しているが、通気性に劣り、かつ貫通孔の内部の汚れを完全に浄化しにくく、やはり枕の中に細菌が繁殖してアレルギーやアトピーなどの原因となる。
【０００５】
また、枕カバーについて防ダニ手段を施していないので、枕カバーから枕内にダニが侵入し、ダニの温床ともなるものであった。
【特許文献１】特開２００４−３５８１３７号公報
【考案の開示】
【考案が解決しようとする課題】
【０００６】
本考案は、十分なクッション性を有して、中芯を簡単にかつ完全に洗濯、乾燥することができ、枕の中に細菌が繁殖することなく、アレルギーやアトピーなどの原因を削減でき、またダニの餌となるカビが発生してダニの繁殖の温床となるのを防止して、快適に安眠できるようにすることにある。
【課題を解決するための手段】
【０００７】
本考案は、上記のような点に鑑みたもので、上記の課題を解決するために、枕を洗濯自在とするためにその中芯を繊維集合体等の不織布の綿状としたクッション性を有する芯材で形成し、この芯材を洗濯後の乾燥を確実にできるように断面が花びら状等のその中心部から周辺に向かって適宜の角度間隔で放射状形状に中芯を形成したことを特徴とする洗濯自在な枕を提供するにある。
【０００８】
また、２枚以上の所定厚、所定幅の芯材を上下に対向してその中心部を縫合して中芯の両側の側片がその中心側から周辺側に向かってこれらの断面がＶ字状に広がってクッション性を高め、通気性を有するように中芯の断面を花びら状に形成した請求項１に記載の洗濯自在な枕を提供するにある。
【０００９】
さらに、枕の中芯を中芯袋の前後部にそれぞれ内装して断面がピーナッツ状やひょうたん状の枕本体部を形成し、枕カバーを防ダニ、防虫の極細繊維生地で形成して上記枕本体部に被覆した洗濯自在な枕を提供するにある。
【００１０】
またさらに、枕本体部の中芯袋を高弾性不織布で形成し、この枕本体部の外側に所定の厚さに合成綿を介して極細繊維生地の枕カバーを被覆した洗濯自在な枕を提供するにある。
【００１１】
またさらに、交換用の枕カバーを極細繊維生地で形成するとともに、その枕の出入口部を除く閉塞部を熱圧着シールを介して閉塞し、上記枕の出入口部にレール状ファスナーやベルベットファスナーを開閉可能に形成するとともに、このレール状ファスナーやベルベットファスナー部を内側に挿入するようにしてその外側にさらにスライドファスナー等のファスナーを出入口部に二重状に配設した洗濯自在な枕を提供するにある。
【考案の効果】
【００１２】
本考案の洗濯自在な枕は、枕を洗濯自在とするためにその中芯を繊維集合体等の不織布の綿状としたクッション性を有する芯材で形成し、この芯材を洗濯後の乾燥を確実にできるように断面が花びら状等のその中心部から周辺に向かって適宜の角度間隔で放射状形状に中芯を形成することによって、枕のクッション性を良好に維持できるとともに、中芯の洗濯、乾燥が確実に行なうことができ、枕の中に細菌が繁殖することなく、アレルギーやアトピーなどの原因を削除でき、ダニの餌となるカビが発生してダニの繁殖の温床となるのを防止できて快適に安眠できる。
【００１３】
また、２枚以上の所定厚、所定幅の芯材を上下に対向してその中心部を縫合して中芯の両側の側片がその中心側から周辺側に向かってこれらの断面がＶ字状に広がってクッション性を高め、通気性を有するように中芯の断面を花びら状に形成することによって、洗濯可能な中芯の枕をクッション性よく使用できるとともに、枕本体ごと簡単にかつ完全に洗濯、乾燥することができ、上記のように枕の中に細菌が繁殖することなく、アレルギーやアトピーなどの原因を削除でき、ダニの餌となるカビが発生してダニの繁殖の温床となるのを防止できる。
【００１４】
さらに、枕の中芯を中芯袋の前後部にそれぞれ内装して断面がピーナッツ状やひょうたん状の枕本体部を形成し、枕カバーを防ダニ、防虫の極細繊維生地で形成して上記枕本体部に被覆することによって、安眠できる枕の中芯にダニが侵入するのを有効に防止することができる。
【００１５】
またさらに、枕本体部の中芯袋を高弾性不織布で形成し、この枕本体部の外側に所定の厚さに合成綿を介して極細繊維生地の枕カバーを被覆したことによって、洗濯可能な中芯の枕をクッション性よく使用できるとともに、上記したように枕本体ごと簡単にかつ完全に洗濯、乾燥することができ、枕の中に細菌が侵入しての繁殖するのを防止し、またダニの餌となるカビの発生を防止してダニの侵入して繁殖するのを確実に防ぎ、快適に安眠できる。
【００１６】
またさらに、交換用の枕カバーを極細繊維生地で形成するとともに、その枕の出入口部を除く閉塞部を熱圧着シールを介して閉塞し、上記枕の出入口部にレール状ファスナーやベルベットファスナーを開閉可能に形成するとともに、このレール状ファスナーやベルベットファスナー部を内側に挿入するようにしてその外側にさらにスライドファスナー等のファスナーを出入口部に二重状に配設することによって、ファスナーを開閉して枕カバーを簡単に枕から取り外して洗濯できるとともに、二重のファスナーで枕カバーからダニ等が侵入するのを完全に防止できる。
【考案を実施するための最良の形態】
【００１７】
本考案の洗濯自在な枕は、枕を洗濯自在とするために、その中芯を繊維集合体等の不織布の綿状としたクッション性を有する芯材で形成し、この芯材を洗濯後の乾燥を確実にできるように断面が花びら状等のその中心部から周辺に向かって適宜の角度間隔で放射状形状に中芯を形成したことを特徴としている。
【００１８】
枕１は、図１のように断面が真中がへこんだほぼピーナッツやひょうたんの断面形状等とし、中芯２を所定の合成繊維糸で繊維集合体等の不織布の綿状としたクッション性を有する芯材で形成し、この芯材を洗濯後の乾燥が完全にできるように断面が花びら状等のその中心部から周辺に向かって適宜の角度間隔で放射状に中芯２を形成し、その外側を高弾性不織布の中芯袋３で被覆し、この枕本体部４の外側に所定の厚さに合成綿５を介して極細繊維生地の枕カバー６を被覆して形成している。
【００１９】
上記枕１の中芯２としては、図２のように２枚の所定厚、所定幅の上記した芯材を上下に対向してその中心部を縫合して芯材の両側の側片がその中心側から側端側に向かってＶ字状に広がってクッション性を高め、通気性を有するように中芯２の断面形状が花びら状になるように形成している。芯材としては、２枚位でよいが、必要により３枚以上とすることも可能である。また、この花びら状とした芯材の中芯２を図２のように中芯２と同様の材料の中芯結合材７を介して左右の中芯２を縫着したりして結合して、枕本体部４の形状および前後の距離を安定して保持するようにするのが好ましい。
【００２０】
この中芯２としては、公知のけん縮した３次元立体けん縮を有するマルチフィラメントやステーブルファイバーを主体に構成した繊維集合体を平板状等に充填成形したものなどが利用でき、ポリエウレタン、ポリエステル、ポリアミド、ポリエチレン、ポリプロピレンなどの合成繊維糸の弾力性を保持できるものが使用できる。なお、上記繊維集合体を図１のような花びら状や左右対称状等の中芯２に一体的に充填成形することも可能である。
【００２１】
また、中芯袋３は、図３のように熱可塑性エラストマーのフィラメントや上記した所定のデニールのフィラメントやファイバーの高弾性不織布で上記した中芯２を包み込み、その中央部分の上下部を縫着して、形状が安定した枕本体部２を形成するようにしている。
【００２２】
また、この枕本体部２の周部の合成綿５は、図１のように所定の厚さとして枕１に所定のクッション性と良好な感触が得られるようにしている。この合成綿５も、上記した熱可塑性エラストマーのフィラメントや上記した所定デニールのフィラメントやファイバーの高弾性の綿布状のもので、クッション性よく形成できる。
【００２３】
さらに、枕カバー６は、公知の極細繊維生地を使用して、図１のようにその接合部９を高温用の熱圧着シール１０を介して高熱を介して圧着接合し、５０〜１００回もの洗濯ができるようにしているとともに、ダニ等の害虫や細菌が枕１に侵入しないようにしている。
【００２４】
なお、上記した枕１については、従来行われているように交換可能な枕カバー１１を被覆することができる。この交換可能な枕カバー１２としては、上記したように極細繊維生地で形成していて、図４のように枕１の出入口部１３をレール状ファスナー１４やベルベットファスナーのファスナーで開閉可能に形成するとともに、このレール状ファスナー１４やベルベットファスナー部を内側に挿入するようにして、その外側にさらにスライドファスナー等のファスナー１５で出入口部を開閉自在に二重状に形成している。このようにファスナーを開閉して枕カバー１２を簡単に枕１から取り外して洗濯できるとともに、体裁よく形成した二重のファスナーで枕カバー１２からダニ等が枕１に侵入するのを確実に防止できる。
【実施例】
【００２５】
図１〜図３は、本考案の実施例を示すものである。枕１は、図１のように枕本体３を断面がピーナッツ状のものに形成していて、その前後の空間部１６にけん縮した３次元立体けん縮を有するマルチフィラメントを主体に構成する繊維集合体を充填成形した平板の２０ｍｍ厚さのものを中芯結合材７を介して上下に対向し、その中央を図２のように縫合して上下にＶ字状に曲折して花びら状の低反発のクッション性能を有するようにしている。なお、中芯２と同様のクッション性を有する中芯２と同一幅で２０ｍｍ厚さの中芯結合材７を介して結合することによって、中芯２を安定した形状にクッション性よく保持できる。
【００２６】
そして、図１のように上記した中芯２のまわりに熱可塑性エラストマーのファイバーの高弾性不織布の中芯袋３で、上記した中芯２を包み込み、その中央部分の上下部を縫着して形状が安定した枕本体部２を形成するようにしている。
【００２７】
また、図１のように枕本体部２の周部のポリエステルの合成繊維による合成綿５は、図１のように所定の厚さとして枕１に所定のクッション性と良好な感触が得られるように被覆し、外周部に極細繊維生地を使用して図１のようにその接合部９を高温用の熱圧着シール１０を介して高熱を介して圧着接合し、５０〜１００回の洗濯ができるようにしているとともに、ダニ等の害虫が侵入しないようにしている。
【００２８】
したがって、クッション性よく、かつダニ等の害虫の侵入や温床となるのを防止できて快適な睡眠や休息がはかれるとともに、枕を洗濯しても完全に乾燥でき、型崩れも防止できて、衛生的にいつまでも快適に利用できるものである。
【００２９】
また、図４は交換可能な枕カバー１２で、従来行われているように交換可能に枕１を被覆することができるようにしている。この交換可能な枕カバー１２としては、上記したように極細繊維生地で形成していて、図のように枕１の出入口部１３をレール状ファスナー１４で開閉可能に形成しているとともに、このレール状ファスナー１４部を内側に挿入するようにしてその外側にさらにスライドファスナー１５で出入口部１３を開閉自在に二重状に形成している。このようにファスナーを開閉して枕カバー１２を簡単に枕１から取り外して洗濯できるとともに、二重のファスナーで枕カバー１２からダニ等が枕１に侵入するのを確実に防止できる。
【００３０】
以上では、本考案に関して好適な実施例について説明したが、中芯を１つの花びら状としたり、前後の大きさを変えたりするなど、本考案の趣旨にもとづいて適宜な変形態様を実施することが可能である。
【図面の簡単な説明】
【００３１】
【図１】本発明の一実施例の側断面図、
【図２】同上の枕の中芯部の拡大断面図、
【図３】同上の中芯袋部の一部省略した斜視図、
【図４】同上の交換可能な枕カバーの実施例の斜視図。
【符号の説明】
【００３２】
１…枕            ２…中芯            ３…中芯袋              ４…枕本体部
５…合成綿        ６…枕カバー        ７…中芯結合材        １２…枕カバー
【図１】
0003117081.tif 000003
【図２】
0003117081.tif 000004
【図３】
0003117081.tif 000005
【図４】
0003117081.tif 000006